(57)【要約】【課題】初期設定ファイルの入力を少なくするべく、変更したい項目のみ入力し、且つ、内容を削除した項目はその内容を空白にすればよい初期設定ファイルにする。【解決手段】１以上の設定項目と該設定項目の設定内容からなる設定テーブルを記憶するＲＡＭ５３を有するＶｏＩＰ電話端末５と、前記設定テーブルの１以上の設定項目と該設定項目の初期設定内容を有する初期設定ファイルをＶｏＩＰ端末５に出力するサーバ４とを有し、ＶｏＩＰ電話端末５はサーバ４の初期設定ファイルに基づいてＶｏＩＰ電話端末５のＲＡＭ５３に記憶される設定テーブルを初期化する制御回路５２を有するＶｏＩＰシステムにおいて、ＶｏＩＰ電話端末５の制御回路５２は、前記初期化において前記初期設定ファイルにない前記設定テーブルの設定項目の内容は変更せず、前記初期設定ファイルに同一の項目はあるがその内容はない前記設定テーブルの設定項目の内容は削除する。【選択図】        図５
2004356746.tif 000002
【特許請求の範囲】
【請求項１】
１以上の設定項目と該設定項目の設定内容からなる設定テーブルを記憶する記憶手段を有するＶｏＩＰ電話端末と、前記設定テーブルの１以上の設定項目と該設定項目の初期設定内容からなる初期設定ファイルを前記ＶｏＩＰ端末に出力するサーバとを有し、前記ＶｏＩＰ電話端末は前記サーバの初期設定ファイルに基づいて前記ＶｏＩＰ電話端末の前記記憶手段に記憶される前記設定テーブルを初期化する制御手段を有するＶｏＩＰシステムにおいて、
前記ＶｏＩＰ電話端末の制御手段は、前記初期化において前記初期設定ファイルにない前記設定テーブルの設定項目の内容は変更せず、前記初期設定ファイルに同一の項目はあるがその内容はない前記設定テーブルの設定項目の内容は削除することを特徴とするＶｏＩＰシステム。
【請求項２】
前記ＶｏＩＰ電話端末は１以上のラインキーと、該ラインキーの位置に対応した位置に電話番号を表示する表示部を有し、前記制御手段は表示されている電話番号を発呼するワンタッチキーとして前記ラインキーを動作させるか、表示されている電話番号を端末の電話番号に設定する端末電話番号キーとして前記ラインキーを動作させるかの選択を前記設定テーブルに基づき行うＶｏＩＰシステムにおいて、
前記ＶｏＩＰ電話端末の制御手段は、前記初期化において前記初期設定ファイルにない前記設定テーブルの項目であり且つ前記設定テーブルの初期化前の内容が前記端末の電話番号であるラインキーの項目はその項目の内容を削除することを特徴とする請求項１に記載のＶｏＩＰシステム。
【請求項３】
１以上の設定項目と該設定項目の設定内容からなる設定テーブルを記憶する記憶手段と、前記設定テーブルの１以上の設定項目と該設定項目の初期設定内容からなる初期設定ファイルをサーバから受信して受信した初期設定ファイルに基づいて前記ＶｏＩＰ電話端末の前記記憶手段に記憶される前記設定テーブルを初期化する制御手段を有するＶｏＩＰ端末において、
前記制御手段は、前記初期化において前記初期設定ファイルにない前記設定テーブルの設定項目の内容は変更せず、前記初期設定ファイルに同一の項目はあるがその内容はない前記設定テーブルの設定項目の内容は削除することを特徴とするＶｏＩＰ端末。
【請求項４】
１以上のラインキーと、該ラインキーの位置に対応した位置に電話番号を表示する表示部を有し、前記制御手段は表示されている電話番号を発呼するワンタッチキーとして前記ラインキーを動作させるか、表示されている電話番号を端末の電話番号に設定する端末電話番号キーとして前記ラインキーを動作させるかの選択を前記設定テーブルに基づき行うＶｏＩＰ端末において、
前記制御手段は、前記初期化において前記初期設定ファイルにない前記設定テーブルの項目であり且つ前記設定テーブルの初期化前の内容が前記端末の電話番号であるラインキーの項目はその項目の内容を削除することを特徴とする請求項３に記載のＶｏＩＰ端末。
【発明の詳細な説明】
【０００１】
【発明の属する技術分野】
本発明は、サーバより受信した初期設定テーブルに基づいて初期設定を行うＶｏＩＰシステム及びＶｏＩＰ端末に関する。
【０００２】
【従来の技術】
現在、ＶｏＩＰ（Ｖｏｉｃｅ  ｏｖｅｒ  Ｉｎｔｅｒｎｅｔ  Ｐｒｏｔｏｃｏｌ）システムが市販されている。ＶｏＩＰ端末には着信の電話番号を切り替えることができるものがある。例えば、図２に示す如く、営業一課が内線５００１，５００２，５００３を有し、３台のＶｏＩＰが夫々内線番号を切り替えながら使用することができる。また、キーに対応した電話番号をダイヤルするワンタッチキーの機能を有するものがある。この両方の機能を備え、表示部に表示させた電話番号の位置に対応するラインキーによりこの操作を行うものもある。このラインキーへの番号の割り当ては設定により行われる。
【０００３】
ＶｏＩＰの設定はラインキー以外にも、ＵＳＥＲ  ＩＤ，ＩＰアドレスや着信音の設定などがある。これらの設定は電源がＯＮされたときや、リセットの操作がされたときに初期化される。その初期化はＶｏＩＰが接続されているＬＡＮのサーバからダウンロードする初期設定ファイルに基づいて行われる（例えば、特許文献１参照。）。
【０００４】
【特許文献１】
特開２００１−１５６８４７号公報（段落番号００７８）
【０００５】
【発明が解決しようとする課題】
従来はサーバの初期設定ファイルをそのまま上書きしてＶｏＩＰの設定を初期化するが、ＶｏＩＰの多機能により初期化項目が多い場合は初期設定ファイルの入力に手間が掛かるという問題や、項目が多くて初期設定ファイルを見づらいという問題がある。
【０００６】
【課題を解決するための手段】
本発明のＶｏＩＰシステム及びＶｏＩＰ電話端末はかかる点に鑑みなされたもので、ＶｏＩＰ電話端末の制御手段は、前記初期化において前記初期設定ファイルにない前記設定テーブルの設定項目の内容は変更せず、前記初期設定ファイルに同一の項目はあるがその内容はない前記設定テーブルの設定項目の内容は削除する。
【０００７】
これにより、初期設定ファイルは変更したい項目のみ入力し、且つ、内容を削除した項目はその内容を空白にすればよいので、非常に少ない入力で初期設定ファイルを作成することができる。
【０００８】
また、前記制御手段は表示されている電話番号を発呼するワンタッチキーとして前記ラインキーを動作させるか、表示されている電話番号を着信番号に設定する着信番号キーとして前記ラインキーを動作させるかの選択を前記設定テーブルに基づき行うＶｏＩＰシステムにおいては、
前記ＶｏＩＰ電話端末の制御手段は、前記初期化において前記初期設定ファイルにない前記設定テーブルの項目であり且つ前記設定テーブルの初期化前の内容が前記端末の電話番号であるラインキーの項目はその項目の内容を削除する。
【０００９】
これにより、初期設定ファイルに項目を入力していなくても、端末の電話番号は削除されるので、他のＶｏＩＰ電話と電話番号が重複することはない。
【００１０】
【発明の実施の形態】
本発明の実施の形態を図面に基づき説明する。図１は本実施例のＶｏＩＰシステムの要部を示すブロック図である。インターネット網（１）にルータ（２）が接続される。このルータ（２）にゲートウェイ（３）、サーバ（４）、ＶｏＩＰ電話端末Ａ（５）、ＶｏＩＰ電話端末Ｂ（６）とＶｏＩＰ電話端末Ｃ（７）がＬＡＮ接続される。ゲートウェイ（３）は加入電話網（８）を介して加入者電話端末（９）（通常の電話機）が接続され、音声データとＩＰパケットの変換を行う。
【００１１】
サーバ（４）の制御回路（４）はＲＯＭ（４１）に書き込まれたプログラムにより動作してＲＡＭ（４３）に記憶された初期設定ファイルをＶｏＩＰ電話端末（５）（６）（７）に出力する。
【００１２】
ＶｏＩＰ電話端末Ａ（５）の制御回路（５２）はＲＯＭ（５１）に書き込まれたプログラムにより各部を制御する。ＲＡＭ（５３）は制御回路（５２）の動作に必要な情報を記憶する。入力部（５４）は通話や設定などの操作を行う。表示部（５５）は通話や設定などに係る情報を表示する。
【００１３】
ＶｏＩＰ電話端末Ｂ（６）とＶｏＩＰ電話端末Ｃ（７）はＶｏＩＰ電話端末Ａ（５）と同じ構成であり、端末としての設定が異なる。
【００１４】
図２はＶｏＩＰ電話端末Ａ（５）の表示を示す図である。図２に示す如く、表示は複数行に区分され、その内の６行に対応して夫々ラインキー（Ｌ１）（Ｌ２）（Ｌ３）（Ｌ４）（Ｌ５）（Ｌ６）が配設される。また、表示部（５５）の下方には４つのファンクションキー（Ｆ１）（Ｆ２）（Ｆ３）（Ｆ４）が配設され、夫々のファンクションキー（Ｆ１）（Ｆ２）（Ｆ３）（Ｆ４）に対応した位置に夫々の機能を示す文字が表示部（５５）に表示される。
【００１５】
本実施例のラインキー（Ｌ１）（Ｌ２）（Ｌ３）（Ｌ４）（Ｌ５）（Ｌ６）はＶｏＩＰ電話端末Ａ（５）の入力部（５４）の操作により、図３に示す如く設定され、この設定テーブルがＲＡＭ（５３）に記憶され、図２の如く表示される。
【００１６】
ラインキー（Ｌ１）（Ｌ２）（Ｌ３）に夫々内線番号５００１、５００２、５００３が設定され、ラインキー（Ｌ１）（Ｌ２）（Ｌ３）の操作により内線番号を選択することができる。発信のときはラインキー（Ｌ１）（Ｌ２）（Ｌ３）で指定した後にダイヤルし、着信のときは着信報知があった内線番号に対応するラインキー（Ｌ１）（Ｌ２）（Ｌ３）を操作することにより通話を行う。図２の表示は、ＶｏＩＰ電話端末Ａ（５）は内線番号５００１が選択され、内線番号５００２は他のＶｏＩＰ電話端末により使用中であり、内線番号５００３は使用中でないので選択可能であることを示している。
【００１７】
ラインキー（Ｌ４）（Ｌ５）（Ｌ６）は夫々ワンタッチの電話番号が設定され、ラインキー（Ｌ４）（Ｌ５）（Ｌ６）を操作することにより自動的に設定された電話番号をダイヤルする。
【００１８】
次に、本発明の初期化の動作を説明する。ＶｏＩＰ電話端末Ａ（５）のＲＡＭ（５３）に図３に示す内容の設定テーブルを記憶している。サーバ（４）のＲＡＭ（４３）に図４に示す内容の初期設定ファイルを記憶している。
【００１９】
図５はＶｏＩＰ電話端末Ａ（５）の初期化の動作（サブルーチン）を示すフローチャートである。図５においてＮは制御回路（５２）内部のレジスタ（図示せず）に記憶される変数であり、項目の番号を示す。
【００２０】
ＶｏＩＰ電話端末Ａ（５）の電源がＯＮされると、制御回路（５２）はサーバ（４）の制御回路（４２）に初期設定ファイルの送信を要求し（Ｓ１）、ＲＡＭ（４３）に記憶されている初期設定ファイルを受信する（Ｓ２）。変数Ｎを１にして（Ｓ３）、Ｎ番目の項目を初期化の対象項目にする（４）。サーバ（４）から受信した初期設定ファイルにＮ番目の項目があり（Ｓ５のＹ）、その項目の内容があれば（Ｓ６のＹ）、ＶｏＩＰ電話端末Ａ（５）のＲＡＭ（５３）の設定テーブルのＮ番目の項目の内容を初期設定ファイルの内容に書き替える（Ｓ７）。そして、変数Ｎを１つインクリメントし（Ｓ９）、Ｎ番目が存在すれば（Ｓ１０のＹ）、ステップＳ４に戻る。即ち、最終項目でなければ次の項目の処理を繰り返す。Ｎ番目が存在しなければ（Ｓ１０のＮ）、全ての項目についての処理を終了したものとして、初期化のサブルーチンを終える（ＲＥＴＵＲＮ）。
【００２１】
このように、初期化で指定の内容にしたい場合は、初期設定ファイルに項目と内容を入力すればよい。
【００２２】
ステップＳ６で初期設定ファイルの項目に内容がない場合は（Ｓ６のＮ）、ＶｏＩＰ電話端末Ａ（５）のＲＡＭ（５３）の設定テーブルのＮ番目の項目の内容を削除する（Ｓ８）。
【００２３】
このように、初期化で内容を削除したい場合は、初期設定ファイルに項目のみ入力すればよい。
【００２４】
ステップＳ５でサーバ（４）から受信した初期設定ファイルにＮ番目の項目がなく（Ｓ５のＮ）、且つその項目の初期化前の内容が端末の電話番号（内線番号）に係るものでなければ（Ｓ１１のＮ）、その項目の内容は変更しない。
【００２５】
このように、初期化で内容を維持したい場合は、初期設定ファイルに項目を入力しなければよい。
【００２６】
ステップＳ５でサーバ（４）から受信した初期設定ファイルにＮ番目の項目がなく（Ｓ５のＮ）、且つその項目の初期化前の内容が端末の電話番号（内線番号）のラインキーに係るものであれば（Ｓ１１のＹ）、ステップＳ８に進んで、ＶｏＩＰ電話端末Ａ（５）のＲＡＭ（５３）の設定テーブルのＮ番目の項目の内容を削除する。
【００２７】
このように、初期設定ファイルに項目を入力していなくても、端末の電話番号は削除され、他のＶｏＩＰ電話と電話番号が重複することはない。
【００２８】
初期化の具体的な例を説明する。図３は初期化処理を行う前のＶｏＩＰ電話端末Ａ（５）のＲＡＭ（５３）の設定テーブルである。図４はＶｏＩＰ電話端末Ａ（５）がサーバ（４）から受信する初期設定ファイルである。図６は初期化処理を行った後のＶｏＩＰ電話端末Ａ（５）のＲＡＭ（５３）の設定テーブルである。
【００２９】
初期化前の図３の設定テーブルは番号１８〜３５のみがラインキーの項目であり、その内番号１８〜２６が端末の電話番号のラインキーに係る内容である。図４の初期設定ファイルは番号１〜２０のみ項目が入力されている。そして、項目１５のみ内容が入力されていない。
【００３０】
この初期設定ファイルで図３のデータを初期化すると、図６に示す如く、これにより、番号１６の内線呼び出し音がｐａｔｔｅｒｎ３からｐａｔｔｅｒｎ１に書き替えられ、番号１７の外線呼び出し音がｍｅｌｏｄｙ１からｐａｔｔｅｒｎ２に書き替えられる。
【００３１】
初期設定ファイルに項目は入力されているが内容は入力されていない番号１５の設定テーブルは内容が消去される。これにより、ボイスメールサーバのアドレスｖｏｉｃｅｍａｉｌ．ｖ．１２３４．ｊｐが消去される。
【００３２】
初期設定ファイルに項目が入力されていない番号２７〜３５の設定テーブルは内容が維持される。
【００３３】
初期設定ファイルに項目が入力されていないが、設定テーブルの項目が端末の電話番号に係るものである番号２１〜２６の設定テーブルは消去される。
【００３４】
【発明の効果】
上述の如く、本願発明は、初期設定ファイルに項目と内容が入力されている設定テーブルは設定ファイルどおりに書き替えられ、初期設定ファイルに項目は入力されているが内容は入力されていない設定テーブルは内容が消去され、初期設定ファイルに項目が入力されていない設定テーブルは内容が維持される。
【００３５】
これにより、初期設定ファイルは変更したい項目のみ入力し、且つ、内容を削除した項目はその内容を空白にすればよいので、非常に少ない入力で初期設定ファイルを作成することができる。
【００３６】
また、本願発明は、初期設定ファイルに項目が入力されていないが、初期化前の設定テーブルの項目が端末の電話番号であるラインキーの内容は消去される。これにより、初期設定ファイルに項目を入力していなくても、端末の電話番号は削除されるので、他のＶｏＩＰ電話と電話番号が重複することはない。
【図面の簡単な説明】
【図１】本発明のＶｏＩＰシステムの要部を示すブロック図である。
【図２】ＶｏＩＰ電話端末の表示部を示す図である。
【図３】初期化前のＶｏＩＰ端末の設定テーブルの項目と内容を示す図である。
【図４】サーバの初期設定ファイルの項目と内容を示す図である。
【図５】ＶｏＩＰ電話端末の動作を示すフローチャートである。
【図６】初期化後のＶｏＩＰ端末の設定テーブルの項目と内容を示す図である。
【符号の説明】
４  サーバ
５  ＶｏＩＰ電話装置
Ｌ１  ラインキー
Ｌ２  ラインキー
Ｌ３  ラインキー
Ｌ４  ラインキー
Ｌ５  ラインキー
Ｌ６  ラインキー
【図１】
2004356746.tif 000003
【図２】
2004356746.tif 000004
【図３】
2004356746.tif 000005
【図４】
2004356746.tif 000006
【図５】
2004356746.tif 000007
【図６】
2004356746.tif 000008